(57)【特許請求の範囲】
【請求項１】
遊技者が獲得した遊技媒体を受け入れて計数する計数手段と、
遊技機において使用された遊技媒体数を特定可能な使用媒体信号と、遊技機において払い出された遊技媒体数を特定可能な払出媒体信号と、遊技者に対して貸出された遊技媒体数を特定可能な貸出媒体信号とを少なくとも含む遊技機側から送信される複数種の遊技信号を受信する受信手段と、
前記受信手段が受信した遊技信号、或いは遊技場管理者による所定の優良台入力操作に基づいて特定される優良台を記憶する優良台記憶手段と、
前記遊技者が遊技した遊技機を特定する遊技機特定手段と、
前記受信手段が受信した遊技信号に基づいて前記遊技機特定手段が特定した遊技機において前記遊技者が獲得した理論上の遊技媒体数を特定する獲得媒体特定手段と、
前記計数手段が計数した遊技媒体数である計数獲得媒体数と、前記獲得媒体特定手段が特定した遊技媒体数である遊技機獲得媒体数とを照合し、適正範囲に有るかを特定する照合手段と、
前記計数手段に対応して設けられ、前記計数獲得媒体数が所定値以上であり、且つ前記照合手段による照合結果が適正範囲で有る場合に、遊技者が遊技を終了したとして前記優良台記憶手段が記憶する優良台の全部、或いは一部に関する情報である優良台情報を報知する一方、前記照合結果が適正範囲で無く、前記遊技機獲得媒体数よりも前記計数獲得媒体数の方が少ない場合には、遊技者が遊技途中にあるにも関わらず計数したとして前記優良台情報を報知しない第１報知手段とを備えたことを特徴とする遊技場用管理システム。
【請求項２】
前記第１報知手段が報知する優良台情報は、前記遊技機特定手段が特定した遊技機が前記優良台記憶手段により優良台として記憶されている場合に、他の優良台として記憶されている遊技機に優先してその遊技機が優良台である旨を特定可能な情報であることを特徴する請求項１記載の遊技場用管理システム。
【請求項３】
前記第１報知手段は、前記計数手段が遊技媒体を計数している期間において前記遊技機特定手段が特定した遊技機の遊技信号を前記受信手段が受信した場合に、前記遊技機特定手段が特定した遊技機以外の遊技機であって、前記優良台記憶手段によって優良台として記憶される遊技機に関わる情報を優良台情報として報知することを特徴とする請求項１または２記載の遊技場用管理システム。
【請求項４】
前記計数手段による計数獲得媒体数に関わり無く優良台情報を報知する第２報知手段と、
報知時刻、或いは所定の遊技情報が所定値となることを少なくとも含む報知条件を、前記第１報知手段と前記第２報知手段とで区別して記憶する報知条件記憶手段とを備え、
前記第１報知手段及び前記第２報知手段は、前記報知条件記憶手段が記憶する報知条件が満たされることで優良台情報を報知することを特徴とする請求項１ないし３の何れかに記載の遊技場用管理システム。
【発明の詳細な説明】
【技術分野】
【０００１】
本発明は、遊技者の計数時に優良台を報知する機能を備えた遊技場用管理システムに関する。
【背景技術】
【０００２】
遊技場では、遊技者は獲得した遊技媒体を計数装置にて計数し、希望する景品との交換を行っている。このような計数装置において、計数中の待ち時間を埋め合わせるために特許文献１では、所定のサービス情報を計数中に表示する構成が提案されている。また、出願人は、遊技を終了した遊技者に対して再度遊技を喚起させるため、特許文献２にて、計数時に優良台を印字する構成を提案している。
【特許文献１】特開平１１−１２３２７３号公報
【特許文献２】特開２００２−１７７６２０号公報
【発明の開示】
【発明が解決しようとする課題】
【０００３】
しかしながら、特許文献２のものでは、計数した場合に一律に優良台を報知してしまうため、遊技途中であるにも関わらず獲得した遊技媒体の一部を計数し、優良台情報のみを把握して遊技終了の是非を決定したり、台移動の参考としたりする遊技者に対しても優良台情報を報知してしまう虞があった。つまり、結果として、そのような行為を行った遊技者に対してのみ優良台が報知されてしまい、遊技を終了した遊技者が計数した時点では、既に空台の優良台が残存しなくなり、本来の目的を達成することが難しかった。
【０００４】
本発明は上記事情に鑑みてなされたもので、その目的は、遊技を終了した遊技者に対してのみ再度遊技を喚起させることが可能となる遊技場用管理システムを提供することにある。
【課題を解決するための手段】
【０００５】
本発明は、遊技者が獲得した遊技媒体を受け入れて計数する計数手段と、遊技機において使用された遊技媒体数を特定可能な使用媒体信号と、遊技機において払い出された遊技媒体数を特定可能な払出媒体信号と、遊技者に対して貸出された遊技媒体数を特定可能な貸出媒体信号とを少なくとも含む遊技機側から送信される複数種の遊技信号を受信する受信手段と、前記受信手段が受信した遊技信号、或いは遊技場管理者による所定の優良台入力操作に基づいて特定される優良台を記憶する優良台記憶手段と、前記遊技者が遊技した遊技機を特定する遊技機特定手段と、前記受信手段が受信した遊技信号に基づいて前記遊技機特定手段が特定した遊技機において前記遊技者が獲得した理論上の遊技媒体数を特定する獲得媒体特定手段と、前記計数手段が計数した遊技媒体数である計数獲得媒体数と、前記獲得媒体特定手段が特定した遊技媒体数である遊技機獲得媒体数とを照合し、適正範囲に有るかを特定する照合手段と、前記計数手段に対応して設けられ、前記計数獲得媒体数が所定値以上であり、且つ前記照合手段による照合結果が適正範囲で有る場合に、遊技者が遊技を終了したとして前記優良台記憶手段が記憶する優良台の全部、或いは一部に関する情報である優良台情報を報知する一方、前記照合結果が適正範囲で無く、前記遊技機獲得媒体数よりも前記計数獲得媒体数の方が少ない場合には、遊技者が遊技途中にあるにも関わらず計数したとして前記優良台情報を報知しない第１報知手段とを備えたものである（請求項１）。
【０００６】
上記構成において、前記第１報知手段が報知する優良台情報は、前記遊技機特定手段が特定した遊技機が前記優良台記憶手段により優良台として記憶されている場合に、他の優良台として記憶されている遊技機に優先してその遊技機が優良台である旨を特定可能な情報であるのが望ましい（請求項２）。
【０００７】
また、前記第１報知手段は、前記計数手段が遊技媒体を計数している期間において前記遊技機特定手段が特定した遊技機の遊技信号を前記受信手段が受信した場合に、前記遊技機特定手段が特定した遊技機以外の遊技機であって、前記優良台記憶手段によって優良台として記憶される遊技機に関わる情報を優良台情報として報知するようにしてもよい（請求項３）。
【０００８】
また、前記計数手段による計数獲得媒体数に関わり無く優良台情報を報知する第２報知手段と、報知時刻、或いは所定の遊技情報が所定値となることを少なくとも含む報知条件を、前記第１報知手段と前記第２報知手段とで区別して記憶する報知条件記憶手段とを備え、前記第１報知手段及び前記第２報知手段は、前記報知条件記憶手段が記憶する報知条件が満たされることで優良台情報を報知するようにしてもよい（請求項４）。
【発明の効果】
【０００９】
請求項１の発明によれば、第１報知手段による優良台の報知条件は、計数手段による計数媒体が所定値以上であることから、遊技途中において計数した場合や、遊技にて少量の遊技媒体を獲得し、台移動を検討している遊技者に対しては優良台情報を報知せずに、遊技を終了し、退店しようとする遊技者に対してのみ優良台情報を報知することが可能となる。
【００１０】
請求項２の発明によれば、遊技者は、自分が遊技していた遊技機が優良台であるかを遊技終了時に確認できるので、獲得遊技媒体を獲得した理由を裏付けることが可能となり、優越感や納得感を与えることが可能となる。また、遊技者においては、俗に言う、ハイエナされることを考慮して、後ろ髪を引かれる思いで遊技終了の判断を行うため、遊技していた遊技機が優良台であれば再度の遊技を行う可能性が高い。つまり、退店しようとする遊技者に対して効果的に再度の遊技を動機付けることが可能となる。
【００１１】
請求項３の発明によれば、計数手段により獲得媒体を計数している遊技者が遊技していた遊技機で他の遊技者が遊技している場合は、その遊技機から使用媒体信号が出力されるので、遊技した遊技機が空台か否かを判断することができる。これにより、遊技終了時には、遊技していた遊技機が優良台であるかが最大の関心毎であるが、その遊技機が、稼動中であるために再度の遊技ができない場合にのみ、その他の優良台についての報知を行う運用が可能となるので、遊技者に対して余分な優良台報知を行わなくとも良い運用が可能となる。また、稼動判定を、計数中に使用媒体信号を受信したか否かに基づいて行うので、従来の稼動タイマを用いた判定よりもタイムリーな判定を行うことが可能となる。
【００１２】
請求項４の発明によれば、第１報知手段による報知は、計数者に限定される報知である一方、第２報知手段は、そのような限定が無く、複数の遊技者が把握可能となる報知であるため、第２報知手段による報知が第１報知手段による報知よりも先に報知してしまえば、第１報知手段による報知が意味を持たなくなるものの、第２報知手段の報知条件を第１報知手段よりも達成し難い条件とすることで、第２報知手段を設けた場合であっても、第１報知手投による報知の存在意義を維持することが可能となる。
【発明を実施するための最良の形態】
【００１３】
以下、本発明の一実施例について図面を参照して説明する。
図１は、システム全体を概略的に示している。遊技島には複数の遊技機１が設置されていると共に、その遊技機１に対応して貸出装置２及び呼出ランプ（第２報知手段に相当）３が設置されている。２台の遊技機１及び貸出装置２並びに呼出ランプ３に対応して中継装置４が設置されている。遊技島端或いは所定位置には計数装置（計数手段、照合手段、第１報知手段に相当）５が設置されている。
【００１４】
中継装置４及び計数装置５は、ＬＡＮ６を通じて管理装置（受信手段、優良台記憶手段、遊技機特定手段、獲得媒体特定手段、報知条件記憶手段に相当）７と接続されており、それらの間で各種情報の送受信が可能となっている。中継装置４は、遊技機１及び当該遊技機１に対応して設けられているアウトボックス（図示せず）及び貸出装置２とも接続されており、管理装置７との間の中継処理（情報の送受信）を行っている。
【００１５】
遊技機１側からの遊技情報（遊技信号）としては、遊技機１での遊技に応じてアウトボックスから使用媒体を特定可能なアウト信号（１０玉毎に１パルス、使用媒体信号に相当）が出力され、遊技機１から払出媒体を特定可能なセーフ信号（１０玉毎に１パルス、払出媒体信号に相当）、図柄変動信号、大当り信号などの遊技状態信号が出力され、貸出装置２から貸出媒体を特定可能な売上信号（１００円毎に１パルス、貸出媒体信号に相当）が出力される。
【００１６】
尚、遊技機１の遊技領域に打込まれた玉は、入賞の有無に関わらず、遊技島に設けられるアウトボックスにて回収され、アウトボックスは回収した玉数に対するアウト信号を出力する。遊技機１からアウト信号を直接出力する構成としても良いし、遊技機１に対応して設けられる補給装置から遊技機１に補給された遊技媒体を特定可能な補給信号をセーフ信号としても良い。
【００１７】
図２は計数装置５の斜視図、図３は計数装置５の平面図である。計数装置５の本体ケース８には、パチンコ玉が投入されるホッパ状の遊技媒体収容口９が設けられている。この遊技媒体収容口９の開口部には、把持部１０により開閉可能な蓋体１１がスライド移動可能に設けられている。遊技媒体収容口９の最下部には取込口１２が設けられており、シャッタ１３により電動で開閉されるようになっている。取込口１２の奥方には図示しない計数センサが設けられており、通過するパチンコ玉を計数する。
【００１８】
本体ケース８の上面部には、例えば液晶ディスプレイからなる表示部１４が設けられている。この表示部１４は、計数玉、計数玉と交換可能な特殊景品の交換数、余り玉などを表示する。
本体ケース８の上面部には、レシート発行釦１５、返却釦１６、レシート発行部１７が設けられていると共に、表示部１４の近傍には、会員カード挿入口１８が設けられている。会員カードは、例えば遊技場の遊技会員となった遊技客に対して発行されるものであり、磁気記録部には例えば遊技場を特定するための加盟店コード、会員に割当てられた会員ＩＤ番号、カード有効年月日を含むＩＤデータなどが記録されている。会員カードが会員カード挿入口１８に挿入されると、会員カードに記録されている各データがカードリーダに読取られる。
【００１９】
本体ケース８の正面部には、返却釦１６が押下されたときに余り玉を放出する余り玉返却部１９が設けられていると共に、従業員リモコンからの光信号を受信する受光部２０が設けられている。
計数装置５は、計数を待機している状態では、図６に示すように表示部１４に待機中画面を表示している。表示部１４はタッチパネルとなっており、表示部１４に表示された釦へのタッチ操作により画面を切替可能となっている。
【００２０】
さて、管理装置７は、貸出装置２による売上状態、各遊技機１の稼動状態、計数装置５による計数処理に基づく計数状況などを管理している。また、管理装置７は、図示しないが、会員毎の会員ＩＤと貯玉数、従業員が携帯する従業員リモコンのリモコンＩＤを管理（記憶）している。さらに、管理装置７は、優良台情報を記憶しており、優良台（入賞率の高い釘間隔とする等、遊技者に有利な調整が行われている遊技機）として入力操作された遊技機１、及びその報知時刻を計数装置５と呼出ランプ３とで区別して遊技機毎に管理（記憶）している。
【００２１】
図４は、管理装置７が管理する優良台情報の一例を示している。優良台情報としては、「遊技機番号」に対応して、「優良台」、「稼動状態」、「計数報知時刻」、「ランプ報知時刻」の各項目が設定されており、各項目の意味は次の通りである。
優良台……遊技場管理者が優良台（入賞率の高い釘調整）として設定入力した場合は「○」を記憶する。
稼動状態……会員カードを受付けいている場合、或いは所定時間以内（１分）にアウト信号受信があった遊技機は「○」、それ以外は「×」を記憶する。
計数報知時刻……計数装置５における優良台報知である計数報知を行う時刻で、この時刻以降の計数において、計数値が条件を満たした場合に優良台の報知が行われる。
ランプ報知時刻……呼出ランプ３における優良台報知であるランプ報知を行う時刻である。
【００２２】
この場合、呼出ランプ３の報知時刻は、計数装置５よりも遅く設定されている。つまり、呼出ランプ３の報知条件は、計数装置５よりも達成し難い条件に設定されている。
尚、図４は機種Ａについての優良台情報を示しているが、管理装置４は他の遊技機グループについても、同様に優良台情報を管理している。
【００２３】
次に、上記構成の作用について説明する。
管理装置７は、遊技機１毎に遊技履歴更新処理を実行している。
図１２は、管理装置７の遊技履歴更新処理を示すフローチャートである。このフローチャートでは、説明を簡略化するために例えば１番台の遊技機１の遊技履歴更新処理のみを示しているが、実際には全ての遊技機１の遊技履歴を並列に処理している。
【００２４】
管理装置７は、会員フラグが「１」か（Ａ１）、遊技開始情報を受信したか（Ａ４）、貸出信号を受信したか（Ａ７）、アウト信号を受信したか（Ａ１３）、セーフ信号を受信したか（Ａ１７）を判断している。
遊技者が遊技を開始するために、貸出装置２に現金を投入して貸出玉を借り受けると、貸出装置２から貸出信号が出力されるので、管理装置７は、貸出信号を受信したときは（Ａ７：ＹＥＳ）、会員フラグが「０」かを判断する（Ａ８）。この場合、遊技者が会員で無く、会員フラグは「０」であるので（Ａ８：ＹＥＳ）、遊技履歴に記憶されている前レコードの獲得玉が１０００玉以上かを判断する（Ａ９）。これは、獲得玉が１０００玉以上で貸出玉が有った場合は、客交代であると判断できるからである。
【００２５】
図５は、管理装置７が管理している例えば１番台の遊技履歴の推移を示している。尚、管理装置７は、各遊技機１の遊技履歴を管理している。遊技履歴には、「ＮＯ．」に対応して、「遊技開始」、「遊技者」、「貸出玉」、「アウト」、「セーフ」、「獲得玉」、「計数玉」、「計数」の各項目が設定されており、図５（ａ）に示すようにＮＯ．１のレコードのみ既に作成されている。
【００２６】
さて、管理装置７は、貸出信号を受信したときは、フローチャートには示していないが、図５（ｂ）に示すようにＮＯ．１のレコードの「遊技開始」に現在時刻を記憶する。この場合、会員カードが使用されておらず、遊技者を特定できないことから、「遊技者」に「−」を記憶する。
【００２７】
次に、管理装置７は、図５（ｂ）に示す「貸出玉」に２５玉を加算すると共に（Ａ１１）、「獲得玉」を更新（２５玉加算）してから（Ａ１２）、ステップＡ１に移行する。
遊技者が遊技機１にパチンコ玉を打込むと、遊技機１側からアウトの発生に応じてアウト信号が出力される。
【００２８】
図１４は、中継装置４の処理を示すフローチャートである。中継装置４は、会員カードの受付中か（Ｃ１）、会員カードの排出か（Ｃ４）、遊技情報を受信したか（Ｃ６）を判断しており、遊技機１側から遊技情報としてアウト信号を受信したときは（Ｃ６：ＹＥＳ）、アウト信号を示す遊技情報を管理装置７へ送信する（Ｃ７）。
【００２９】
管理装置７は、図１２に示すように中継装置４から遊技情報としてアウト信号を受信したときは（Ａ１３：ＹＥＳ）、アウトを加算し（Ａ１４）、計数中フラグが「１」かを判断する（Ａ１５）。この計数中フラグとは遊技機１毎に対応して設けられており、本実施例では１番台で遊技した遊技者が計数装置５で計数していることを示すものである。この場合、計数中フラグは「０」であるので（Ａ１５：ＮＯ）、獲得玉を更新（１０減算）する（Ａ１２）。
【００３０】
遊技機１で入賞が発生すると、遊技機１側からの玉の払出しに応じてセーフ信号が出力され、中継装置４が遊技情報としてセーフ信号を管理装置７へ送信するので、管理装置７は、中継装置４からセーフ信号を受信したときは（Ａ１７：ＹＥＳ）、セーフを加算し（Ａ１８）、獲得玉を更新（１０加算）する（Ａ１２）。
以上のようにして、図５（ｂ）に示すように１番台の遊技履歴のＮｏ．１レコードを更新することができる。
【００３１】
遊技者が遊技を終了したときは、獲得玉（獲得媒体に相当）を計数装置５で計数する。
図１５は、計数装置５の処理を示すフローチャートである。計数装置５は、ＩＤを受付けたかを判断している（Ｄ１）。このＩＤとは、会員カードから読取った会員ＩＤ、或いは従業員リモコンから受信したリモコンＩＤである。遊技者が会員でない場合は、従業員を呼んで計数の許可を依頼する。
【００３２】
従業員は、遊技者から計数の許可を依頼された場合は、遊技者から遊技していた遊技機番号を聞き出し、その遊技機番号を従業員リモコンに入力した上で計数装置５の受光部２０に向けて送信する。従業員リモコンからの送信信号には、入力された遊技機番号を特定可能な台番情報とリモコンＩＤを特定可能なＩＤ情報が含まれる。
【００３３】
計数装置５は、従業員リモコンから送信信号を受信し、リモコンＩＤを受付けたときは（Ｄ１：ＹＥＳ）、ＩＤ情報と台番情報とが付加された計数ＩＤ情報を送信してから（Ｄ２）、許容情報を受信したか（Ｄ３）、拒絶情報を受信したか（Ｄ１２）を判断するようになる。
【００３４】
図１３は、管理装置７の計数管理処理を示すフローチャートである。管理装置７は、計数ＩＤ情報を受信したか（Ｂ１）、計数情報を受信したか（Ｂ１５）を判断している。計数装置５から計数ＩＤ情報を受信したときは（Ｂ１：ＹＥＳ）、ＩＤ情報は会員ＩＤか（Ｂ２）、リモコンＩＤか（Ｂ５）を判断する。この場合はリモコンＩＤであるので（Ｂ５：ＹＥＳ）、計数ＩＤ情報に含まれる台番情報に基づき遊技機１を特定し（Ｂ６）、特定した遊技機１の獲得玉（計数獲得媒体に相当）を特定する（Ｂ７）。つまり、計数装置５で計数している遊技者は１番台で遊技していたので、１番台を特定し、１番台の獲得玉を特定することになる。
図５（ｂ）に示す例では、ＮＯ．１レコードの遊技履歴に基づいて獲得玉として４７１０玉を特定する。
【００３５】
次に、管理装置７は、特定した遊技機１は優良台で計数報知時刻が経過したかを判断し（Ｂ８）、特定した遊技機１が該当する場合は（Ｂ８：ＹＥＳ）、特定した遊技機１を報知対象台とし（Ｂ９）、特定した遊技機１以外の遊技機１で空台の優良台であり、計数報知時刻が経過した遊技機が有るかを判断する（Ｂ１０）。そして、該当する遊技機１が有る場合は（Ｂ１０：ＹＥＳ）、該当する遊技機１を報知対象台とし（Ｂ１１）、許容情報を送信する（Ｂ１２）。
【００３６】
図４に示す例において、現在時刻が１８時以降である場合には、１番台（遊技していた台）は優良台であり、計数報知時刻を経過している。また、４番台、８番台は空台の優良台であり、報知時刻も経過していることから、報知対象台を１番台、４番台、８番とし、獲得玉（４７１０玉）と、特定した報知対象台とを特定可能な許容情報を送信する。尚、
本実施例では、特定した遊技機１以外の遊技機１として、遊技者に関心の高い遊技を行っていた遊技機が属するグループ（機種Ａ）の中から報知対象台を抽出したが、任意のグループ、或いは複数のグループ、更には全遊技機を対象として報知対象台を抽出しても良い。この場合、グループの特定は管理装置７にて予め設定しておけば良い。また、図４に示す６番台は、優良台であっても報知時刻が記憶されていないことから空台であっても報知対象台に該当することはない。
【００３７】
次に、管理装置７は、計数装置５で計数している遊技者が遊技した１番台に対応する計数中フラグを「１」としてから（Ｂ１３）、計数情報を受信したか（Ｂ１５）、計数ＩＤ情報を受信したか（Ｂ１）を判断するようになる。このように計数中フラグが「１」となることにより、１番台で遊技した遊技者が計数装置５で計数していることを判断可能となる。
【００３８】
図４に示す例において、現在時刻が１８時以降であった場合は、１番台（遊技していた台）、４番台、８番台が報知対象台となる。尚、本実施例では、遊技者に関心の高い遊技を行っていた遊技機が属するグループ（機種Ａ）に限って報知対象台を特定したが、任意のグループ、或いは複数のグループ、更には全遊技機を対象として報知対象台を特定しても良い。尚、グループの特定は管理装置７にて予め設定しておけば良い。
【００３９】
計数装置５は、図１５に示すように管理装置７から許容情報を受信したときは（Ｄ３：ＹＥＳ）、許容情報が示す獲得玉を特定すると共に（Ｄ４）、シャッタ１３を開放してから（Ｄ５）、計数中処理を実行する（Ｄ６）。
【００４０】
図１６は、計数装置５の計数中処理を示すフローチャートである。計数装置５は、計数中表示を開始してから（Ｅ１）、計数センサが検知したか（Ｅ２）、表示切替操作が有ったか（Ｅ４）、他台報知情報を受信したか（Ｅ６）、計数処理を終了したか（Ｅ８）を判断するようになる。
【００４１】
遊技者が獲得した獲得玉を計数する場合は、計数装置５の蓋体１１の開放状態で遊技媒体収容口９に獲得玉を投入する。すると、投入されたパチンコ玉が取込口１２の奥に設けられた計数センサを通過するので、計数センサがパチンコ玉を検知したときは（Ｅ２：ＹＥＳ）、計数値を加算する（Ｅ３）。
【００４２】
図７は、計数装置５の表示部１４に表示される計数中表示の一例を示している。表示部１４には、計数中であることを示すメッセージ、現在の計数値、発券釦２１、キャンセル釦２２に加えて、情報表示部２３が表示される。この情報表示部２３には、例えば遊技場からの宣伝が表示されている。
【００４３】
計数装置５は、図１６に示すように遊技者や従業員が、情報表示部２３をタッチ操作する表示切替操作を行った場合は（Ｅ４：ＹＥＳ）、計数中表示を切替える（Ｅ５）。つまり、図８に示すように遊技のランキングを表示したり、図９に示すようにイベントの案内を表示したりする。
計数装置５は、計数センサが遊技媒体を計数した最後の計数玉の検知から所定時間（例えば２秒）経過した場合には、計数終了と判断し（Ｅ８：ＹＥＳ）、計数値が正か（Ｅ９）、キャンセル操作が有ったか（Ｅ２２）も判断するようになる。
【００４４】
遊技者が計数することなくキャンセル釦２２を押下げたときは、キャンセル操作が有ったと判断し（Ｅ２２：ＹＥＳ）、計数中処理を終了する。尚、この場合、会員カードを受付けていれば会員カードを排出する（Ｅ２３）が、受付けていなければ、そのまま計数中処理を終了して、図１５に示すようにシャッタ１３を閉鎖し（Ｄ８）、計数中表示を終了し（Ｄ９）、計数情報を送信し（Ｄ１０）、全てのフラグを「０」とすることにより終了する（Ｄ１１）。
【００４５】
計数の結果、計数値が正となったときは（Ｅ９：ＹＥＳ）、発行操作が有ったかも判断するようになる（Ｅ１０）。遊技者が計数を終了して図７に示す発券釦２１にタッチすると、発行操作が有ったと判断し（Ｅ１０：ＹＥＳ）、計数値（計数獲得媒体に相当）と獲得玉（遊技機獲得媒体）とを照合し（Ｅ１１）、照合結果が適正範囲（２００玉以内）であれば（Ｅ１２：ＹＥＳ）、計数値が優良台報知条件での一つである１０００玉を上回っているかを判断する（Ｅ１３）。計数値が１０００玉以下の場合は（Ｅ１３：ＮＯ）、計数値が優良台報知条件を満足していないことから、そのまま発行処理を行う（Ｅ２１）。１０００玉を上回っている場合は（Ｅ１３：ＹＥＳ）、計数値が優良台報知条件を満足していることから、他台報知フラグが「０」かを判断する（Ｅ１４）。後述するように計数装置５で計数している遊技者が遊技していた１番台が空台の場合は、他台報知フラグは「０」であるので（Ｅ１４：ＹＥＳ）、遊技者が遊技した１番台は報知対象台かを判断する（Ｅ１５）。この場合、１番台は報知対象台であるので（Ｅ１５：ＹＥＳ）、遊技した遊技機１が優良台であることを報知する（Ｅ１６）。
【００４６】
尚、上述のような優良台報知条件の一つである計数下限値（例えば１０００玉）や、獲得玉照合の際の誤差許容範囲（２００玉）などの設定値情報は、管理装置７に予め設定されており、設定更新時に計数装置５に対して送信されるようになっている。計数装置５は、設定値情報を受信した場合は、自身が記憶する設定情報を更新するようになっている。また、設定値情報は、計数装置５に対する操作による設定でも可能である。
【００４７】
図１０は、計数装置５の情報表示部２３に、遊技していた遊技機１が優良台であることを報知する一例を示している。計数装置５の情報表示部２３には、計数装置５で計数している遊技者が遊技していた１番台が優良台であることを示すメッセージが表示されると共に、再遊技を促すメッセージが表示される。
従って、計数装置５に表示されるメッセージを確認した遊技者は、自分が遊技していた１番台が優良台であることを確認するので、１番台で再遊技しようと思うようになる。
【００４８】
管理装置７は、１番台にて遊技していた遊技者が計数装置５で計数している場合は、１番台に対応する計数中フラグを「１」とする（Ｂ１３）ので、図１２に示すように、遊技機１側からアウト信号を受信することに応じてアウトを加算した場合は（Ａ１４）、計数中フラグが「１」であると判断し（Ａ１５：ＹＥＳ）、他台報知情報を送信する（Ａ１６）。この他台報知情報は、遊技者が遊技した遊技機１が稼動中である旨を示し、計数装置５において、どの優良台を報知するかの判断指標となる情報である。
【００４９】
計数装置５は、図１６に示すように計数中に他台報知情報を受信したときは（Ｅ６：ＹＥＳ）、他台報知フラグを「１」とすることから（Ｅ７）、他台報知フラグが「１」と判断する（Ｅ１４：ＮＯ）、つまり、計数装置５で計数している遊技者が遊技した遊技機１は他の遊技者が遊技していることから、受信済の許容情報に基づいて遊技した遊技機１以外で報知対象台が有るかを判断し（Ｅ１７）、報知対象台が有る場合は（Ｅ１７：ＹＥＳ）、遊技した遊技機１以外の遊技機１の優良台を報知する（Ｅ１８）。尚、優良台の報知後は、計数値を特定可能なバーコード等が記録された周知のレシートを発券する等の発行処理を行う（Ｅ２１）。
【００５０】
図１１は、計数装置５の情報表示部２３に、遊技者が遊技していた遊技機１以外の他の遊技機１が優良台であることを報知する一例を示している。計数装置５の情報表示部２３には、計数装置５で計数している遊技者が遊技していた１番台以外の４番台と８番台が優良台であることを示すメッセージが表示されると共に、再遊技を促すメッセージが表示される。
【００５１】
計数装置５は、以上のようにして計数中処理が終了したときは、図１５に示すように計数値を「０」とし（Ｄ７）、シャッタ１３を閉鎖し（Ｄ８）、計数中表示を終了し（Ｄ９）、計数情報を送信し（Ｄ１０）、全てのフラグを「０」とすることにより計数を終了する（Ｄ１１）。
【００５２】
管理装置７は、図１３に示すように計数装置５から計数情報を受信したときは（Ｂ１５：ＹＥＳ）、遊技履歴を更新してから（Ｂ１６）、計数中フラグを「０」とする（Ｂ１７）。つまり、該当するレコードの「計数玉」に計数玉を記憶すると共に、「計数」に「済」を記憶する（図５（ｃ）参照）。
尚、計数玉が獲得玉より所定数（例えば５００玉）少なかった場合には、途中計算と判定し、「計数」に「途中」と記憶し、次回の参照時には獲得玉から計数玉を減算する。
【００５３】
管理装置７は、計数ＩＤ情報を受信したときに（Ｂ１：ＹＥＳ）、ＩＤ情報が会員ＩＤ、或いはリモコンＩＤでもないときは（Ｂ５：ＮＯ）、不正なＩＤ情報であるとして、拒絶情報を送信する（Ｂ１４）。この拒絶情報には、報知対象の優良台情報も獲得玉情報も含まれない。
【００５４】
計数装置５は、図１５に示すように管理装置７から拒絶情報を受信したときは（Ｄ１２：ＹＥＳ）、従業員の呼出表示を実行してから（Ｄ１３）、ＩＤ受付を待機する（Ｄ１）。また、計数装置５は、計数値と獲得玉との照合の結果（Ｅ１１）、照合結果が適正範囲でない場合は（Ｅ１２：ＮＯ）、エラーを表示し（Ｅ１９）、従業員リモコンから確認信号を受信したところで（Ｅ２０：ＹＥＳ）、発行処理を実行する（Ｅ２１）。尚、照合結果が適正範囲でない場合に、獲得玉より計数玉の方が少なければ途中計数と判定し、エラー報知等を行わない構成としても良いが、この場合も、優良台の報知（Ｅ１６、Ｅ１８）は行わない。
以上のようにして、図５（ｃ）に示すように１番台の遊技履歴としてＮＯ．１のレコードを作成することができると共に、１番台で遊技した遊技者が計数装置５で計数した際に、その時点で報知すべき優良台を遊技者に報知することができる。
【００５５】
さて、１番台で遊技した遊技者以外の遊技者が１番台の貸出装置２から貸出玉を借り受けると、管理装置７は、図１２に示すように貸出信号を受信した場合に（Ａ７：ＹＥＳ）、会員フラグが「０」であることを確認してから（Ａ８：ＹＥＳ）、獲得玉が１０００玉以上かを判断する（Ａ９）。
【００５６】
図５（ｃ）に示す例では、ＮＯ．１のレコードの獲得玉が１０００玉以上であるので、客交代であると判定し、図５（ｄ）に示すように会員ＤＢに新レコードとしてＮＯ．２のレコードを作成する（Ａ１０）。
尚、管理装置７は、従業員リモコンから遊技開始情報を受信した場合にも、客交代と判定してレコードを作成するようになっている。
【００５７】
ところで、１番台で遊技していた遊技者が獲得玉を計数する前に、他の遊技者が貸出玉を借り受けて１番台で遊技を開始する場合がある。このような場合に客交代と判定した場合に、前レコードの獲得玉が所定値（例えば２００玉）以上であるときは、「計数」を「未」として獲得玉照合が必要であることを、所定値未満の場合は、「計数」を「無」として獲得玉照合が必要ないことを記憶する。従って、１番台で遊技した遊技者が計数装置５で獲得玉を計数した場合は、１番台の遊技履歴において「計数」が空欄或いは「未」が記憶されているレコードの獲得玉と比較することになる。
【００５８】
遊技者が貯玉に基づく再プレイサービスや、会員専用の情報閲覧サービス等の会員サービスを貸出装置２にて受けたい場合には、会員カードを貸出装置２に挿入する。
会員カードを貸出装置２に挿入すると、貸出装置２は、会員カードの受付中であることを中継装置４へ通知する。
【００５９】
中継装置４は、図１４に示すように会員カードを受付けていない状態で（Ｃ１：ＮＯ）、会員カードを受付けたときは（Ｃ２：ＹＥＳ）、遊技開始情報を送信する（Ｃ３）。
管理装置７は、図１２に示すように会員フラグが「０」の状態で（Ａ１：ＮＯ）、遊技開始情報を受信した場合は（Ａ４：ＹＥＳ）、遊技履歴に新レコードを作成する（Ａ５）。つまり、図５（ｅ）のＮＯ．３レコードに示すように、「遊技開始」に現在時刻を記憶すると共に、「遊技者」として会員番号を記憶する。
【００６０】
次に、会員フラグを「１」としてから（Ａ６）、上述したように遊技機１側からの各信号の受信に応じて遊技履歴を更新する。
会員フラグが「１」の状態では（Ａ１：ＹＥＳ）、遊技開始情報に代えて、遊技終了情報を受信したかを判断するようになる（Ａ２）。貸出装置２から貸出信号を受信した場合は（Ａ７：ＹＥＳ）、ステップＡ８において「ＮＯ」と判断してステップＡ１１に移行することにより、獲得玉が１０００玉以上かを判断することなく貸出玉を加算するようになる。つまり、遊技者が会員の場合は、獲得玉が１０００玉以上かを判断することなく客交代を判断できるからである。
【００６１】
貸出装置２が会員カードを受付けている場合に（Ｃ１：ＹＥＳ）、会員の遊技者が遊技を終了するために、会員カードを排出する（Ｃ２：ＹＥＳ）と、中継装置４は、遊技終了情報を送信する（Ｃ５）。
管理装置７は、中継装置４から遊技終了情報を受信したときは（Ａ２：ＹＥＳ）、会員フラグを「０」とする（Ａ３）。
会員の遊技者が獲得玉を計数装置５で計数するために、会員カードを計数装置５に挿入すると、計数装置５は、図１５に示すように会員カードを受付け（Ｄ１：ＹＥＳ）、受付けた会員カードから読取った会員ＩＤを特定可能なＩＤ情報を含んだ計数ＩＤ情報を送信する（Ｄ２）。
【００６２】
管理装置７は、図１３に示すように計数ＩＤ情報を受信した場合に（Ｂ１：ＹＥＳ）、ＩＤ情報は会員ＩＤであることから（Ｂ２：ＹＥＳ）、計数ＩＤ情報により特定される会員ＩＤに基づき遊技履歴を検索し（Ｂ３）、検索結果に基づき遊技機を特定してから（Ｂ４）、特定した遊技機の獲得玉を特定する（Ｂ７）。
【００６３】
以上のようにして、管理装置７は、遊技機１で客交代が行われたり、計数装置５で獲得玉が計数される毎に、図５（ｅ）に示すようにレコードを順に作成する。
尚、呼出ランプ３は、図４に示すように対応する遊技機が優良台として記憶されている場合には、ランプ報知時刻となった場合に、所定のランプを点灯することにより優良台報知を行う。
【００６４】
このような実施例によれば、遊技者が計数装置５で獲得玉を計数した際に、遊技途中において計数した場合や、遊技にて少量の遊技媒体を獲得し、台移動を検討している遊技者に対しては優良台情報を報知せずに、遊技を終了し、退店しようとする遊技者に対してのみ優良台情報を報知するようにしたので、遊技を終了した遊技者に対してのみ再度遊技を喚起させることが可能となる。
【００６５】
また、遊技者は、自分が遊技していた遊技機１が優良台であるかを遊技終了時に確認できるので、獲得玉を獲得した理由を裏付けることが可能となり、優越感や納得感を与えることが可能となる。また、遊技者においては、俗に言う、ハイエナされることを考慮して、後ろ髪を引かれる思いで遊技終了の判断を行うため、遊技していた遊技機１が優良台であれば再度の遊技を行う可能性が高い。つまり、退店しようとする遊技者に対して効果的に再度の遊技を動機付けることが可能となる。
【００６６】
また、遊技終了時には、遊技していた遊技機１が優良台であるかが最大の関心毎であるが、その遊技機１が、稼動中であるために再度の遊技ができない場合にのみ、その他の優良台についての報知を行う運用が可能となるので、遊技者に対して余分な優良台報知を行わなくとも良い運用が可能となる。また、稼動判定を、計数中に使用媒体信号を受信したか否かに基づいて行うので、従来の稼動タイマを用いた判定よりもタイムリーな判定を行うことが可能となる。
【００６７】
計数装置５による報知は、計数者に限定される報知である一方、呼出ランプ３は、そのような限定が無く、複数の遊技者が把握可能となる報知であるため、呼出ランプ３による報知が計数装置５による報知よりも先に報知してしまえば、計数装置５による報知が意味を持たなくなるものの、呼出ランプ３の報知条件を計数装置５よりも達成し難い条件とすることで、呼出ランプ３を設けた場合であっても、計数装置５による報知の存在意義を維持することが可能となる。
【００６８】
本発明は、上記実施例に限定されることなく、次のように変形または拡張できる。
優良台は、管理者の入力操作以外に、遊技情報（例えば大当り数２０回以上であるとか、差玉数１００００玉以上等）に基づいて特定しても良い。
優良台の報知について、時刻以外に遊技情報（例えば大当り１０回、図柄変動数３０００回等）に基づいて報知するようにしても良い。この場合にもランプ報知と計数報知とに別途条件を定めた方が良い。また、ランプ報知は遊技者及び遊技機１近辺の遊技対象者が把握できるのに対して、計数報知は、計数者にのみ報知が行われるため、計数報知の条件をランプ報知の条件よりも達成し易い条件とした方が良い。
【００６９】
ランプ報知を他の情報報知装置（例えば遊技機の遊技情報を一覧して表示可能な集中情報表示装置）にて行うようにしても良い。
管理対象となる遊技機は遊技機１以外にパチスロ等の遊技機であっても良い。この場合、優良台であるか否かを出玉率に対応した設定値に基づいて定めても良い。勿論、遊技媒体は玉以外の他の遊技媒体（メダル等）であっても良い。尚、設定値に基づいて優良台を特定する場合、遊技機１側から送信される遊技情報の１つである設定値を特定可能な設定値信号に基づいて特定（例えば所定の設定値が設定されている遊技機を優良台とする等）しても良い。
【００７０】
優良台情報としては優良台に関わる情報であれば、釘間隔の幅や、上述した設定値等の調整状態を特定、或いは推定可能な情報を付加しても良い。また、遊技機番号を直接特定できなくとも推測出来る程度の情報であっても良い。
計数中の空台判定として、特定した遊技機は計数中のアウト信号受信に基づいて、その他は従来のアウト信号の受信間隔に基づいて行うようにしたが、逆の構成としたり、双方共に同様の判定を行うようにしても良い。尚、その他の空台判定を計数中のアウト信号に基づいて行う場合には、計数装置５にて計数処理を行っている期間にアウト信号受信に基づく他台報知情報の送信を全ての遊技機を対象とすることになる。尚、他台報知情報は計数中に遊技機１台に付き一度送信すれば良い。
【００７１】
空台の判定として、アウト信号以外の遊技情報（例えば図柄変動信号等）を所定期間受信していない場合を非稼動と判定したり、従業員の判断により空台を判定し、呼出ランプ３にてその旨を示すリモコン信号を受信することで判定したりしても良い。他台報知情報の送信条件についても同様にアウト信号以外の所定情報の受信としても良い。
遊技していた遊技機１が空合でない場合には、その遊技機１について優良台か否かを報知しない構成としたが、空合の判定に関わらず報知しても良い。また、優良台の報知は１台のみでも複数台であっても良い。
【００７２】
計数中における情報表示部２３の表示は、所定時間毎に切り替えても良いし、計数値に応じて切り替えても良い。更にイベント情報として、特定した遊技機１に関わるイベント情報（例えば特定した遊技機１が属するグループの次回のイベント情報等）を報知するようにしても良い。また、獲得玉の特定は台移動を考慮して複数台を特定して、その獲得玉の合算値と計数値とを比較するようにしても良いし、演算式（セーフ＋貸出玉−アウト）により特定しても良い。
【００７３】
貸出装置２からの貸出信号は、所謂貯玉に基づいて貸出した遊技媒体（再プレイ玉）を特定可能な再プレイ信号をも含む概念とする。
識別情報（ＩＤ）の受付として、実施例上は会員カードとしたが、他のどのような受付手段を採用しても良い。例えば、ＩＤタグや、指紋等の生体認証の受付等。また、情報の読み取りを一時的に行う場合には、終了操作を受け付けるまでを受付期間として特定すれば良い。レシートについてもどのような記録媒体であっても良い。
管理装置７における処理（手段）を貸出装置２、中継装置４、交換装置等の端末にて行う（持たせる）構成としても良いし、端末における処理（手段）を管理装置７や他の端末にて行う（持たせる）構成としても良い。
【図面の簡単な説明】
【００７４】
【図１】本発明の一実施例におけるシステム構成を示す概略図
【図２】計数装置の斜視図
【図３】計数装置の平面図
【図４】管理装置の優良台情報の一例を示す図
【図５】管理装置の遊技履歴の推移の一例を示す図
【図６】計数装置の待機中画面を示す図
【図７】計数装置の計数中画面を示す図
【図８】計数装置の情報表示部の表示例（その１）
【図９】計数装置の情報表示部の表示例（その２）
【図１０】計数装置の情報表示部の表示例（その３）
【図１１】計数装置の情報表示部の表示例（その４）
【図１２】管理装置の遊技履歴更新処理を示すフローチャート
【図１３】管理装置の計数管理処理を示すフローチャート
【図１４】中継装置の貸出装置処理を示すフローチャート
【図１５】計数装置の動作を示すフローチャート
【図１６】計数装置の計数中処理を示すフローチャート
【符号の説明】
【００７５】
図面中、１は遊技機、２は貸出装置、３は呼出ランプ（第２報知手段）、５は計数装置（計数手段、照合手段、第１報知手段）、７は管理装置（受信手段、優良台記憶手段、遊技機特定手段、獲得媒体特定手段、報知条件記憶手段）である。
【図１】
0005224437.tif 000002
【図２】
0005224437.tif 000003
【図３】
0005224437.tif 000004
【図４】
0005224437.tif 000005
【図５】
0005224437.tif 000006
【図６】
0005224437.tif 000007
【図７】
0005224437.tif 000008
【図８】
0005224437.tif 000009
【図９】
0005224437.tif 000010
【図１０】
0005224437.tif 000011
【図１１】
0005224437.tif 000012
【図１２】
0005224437.tif 000013
【図１３】
0005224437.tif 000014
【図１４】
0005224437.tif 000015
【図１５】
0005224437.tif 000016
【図１６】
0005224437.tif 000017